(57)【要約】      （修正有）【課題】コンパクトカメラが小型軽量でも片手で使いやすいように、コンパクトカメラの脇に筒状の支持具をつけたコンパクトカメラ操作用支持具を提供する。【解決手段】支持具１は耐久性のプラスチック等適宜素材にて筒型の開口穴があり筒の内面と外面には滑り止めがあり、支持具１は、コンパクトカメラ７の三脚穴に土台２からネジ３を固定して、支持具１の底部へネジ４によって、全体の長短のバランスを調整して土台２と固定する。【選択図】図３
2014106525.tif 000002
【特許請求の範囲】
【請求項１】
カメラ底部の三脚穴部分に、土台にあるネジによって取り付けられる支持具であって、支持具は上部に穴が設けられた筒型で、土台上の端に接合されており、カメラに取り付けた際にはシャッター部に近い方の側面に近接し、筒の穴は指一本が容易に出し入れ可能な広さと深さがあり、支持具はかつ、その内面または外面のいずれか一方または両方に滑り止めを設け、カメラを持つ際には筒の穴に中指を入れ、カメラ底部に親指、シャッター部に人差し指を当てて保持することで、安定して片手でカメラを操作することが可能なカメラ操作用支持具。
【発明の詳細な説明】
【技術分野】
【０００１】  この発明は、コンパクトカメラを片手で操作することができる支持具に関するものである。
【背景技術】
【０００２】  従来の、コンパクトカメラに取り付ける支持具はカメラ底部に取り付け、穴の中に指を挿入して両手で撮影操作している。（たとえば、参考文献１参照）。
また、コンパクトカメラに取り付ける支持具は、開口部に指を引っ掛けての落下防止を目的にしたものである。（たとえば、参考文献２参照）。
【先行技術文献】
【特許文献】
【０００３】
【特許文献１】特開２０１２−９８６８５号公報
【特許文献２】特開平０８−０９５１５２号公報
【発明の概要】
【発明が解決しようとする課題】
【０００４】  従来、コンパクトカメラは小型軽量のため掌に収まり難く、ボタンや画面などが多く配置されているので、指先でつまみながら両手で撮影している場合が多く、片手では容易にボタン操作や撮影が困難なので、両手で持って撮影する事が多かった。
特許文献１・２の様に、カメラに支持具を取り付けても片手での操作は難しい。
また、片手がふさがっている場合や、片手が不自由な人は手軽にカメラ撮影できない問題があった。
本発明は、以上のような欠点をなくすために考えたものである。
【課題を解決するための手段】
【０００５】  本発明に係るカメラ操作用支持具は、その支持具の上部に開口した筒穴と土台を設け、土台の中央に溝穴にネジを設け、溝穴の適地にゴム等の緩衝材を設ける。
本発明は、以上の構成のコンパクトカメラに取り付ける支持具である。
【発明の効果】
【０００６】  本発明の支持具は、穴の中に指を出し入れしやすく掌に収まりやすいので握りやすく、外面には滑り止めによって保持力がある。
また、支持具の内面に滑り止めがあるので筒穴の中に指を入た時に安定して保持することができる。
鞄の中から素早くコンパクトカメラを取り出す時に、筒穴の中に指を引っ掛けて引き出せばコンパクトカメラを素早く取り出したり、収納が素早く落下する事なく安定する。
コンパクトカメラに取り付けたままで、収納ポーチなどに収まるので一度コンパクトカメラに装着したらそのままの状態で使える。
片手が不自由な人や高齢者・握力の弱い人でも、支持具の穴に指を挿入して操作する事で、片手でも容易にボタン設定や撮影が可能である。
また、コンパクトカメラのレンズを自分に向けて、左手で支持具の穴に中指を挿入して自分撮影が容易に出来る。
左手用のコンパクトカメラは市販品が殆どなく左手だけでの撮影が困難であったが、支持具を左手で自分に向けて保持して少し傾ければ左手でも撮影が可能である。
【図面の簡単な説明】
【０００７】
【図１】本発明の支持具の実施例を示す分解斜面図である。
【図２】本発明の支持具の実施例を示す斜面図である。
【図３】支持具をコンパクトカメラに装着した背面使用図である。
【図４】支持具をコンパクトカメラに装着した正面使用図である。
【図５】支持具とコンパクトカメラと右手の背面使用関係図である。
【図６】支持具とコンパクトカメラと左手の正面使用関係図である。
【図７】指示具と土台が一体の図
【発明を実施するための形態】
【０００８】  本発明のカメラ操作用支持具（１）は、図１に示されるように、コンパクトカメラ（７）の三脚穴に土台（２）からネジ（３）を固定して、支持具（１）の底部へネジ（４）によって、全体の長短のバランスを調整して土台（２）と固定する。
【０００９】  図７のように、支持具（１）と土台（２）が一体の構造や、支持具（１）を直接カメラに取り付け固定などの構造体であることは容易に可能である。
【００１０】  カメラ操作用支持具（１）は、普段コンパクトカメラ（７）に取り付けた状態で操作し、三脚を使う時など取り外すことも容易にできる。
【実施例】
【００１１】  以下、添付図面に従って一実施例を説明する。
図１は、支持具（１）の実施例を示す分解斜面図である。支持具（１）は耐久性のプラスチック等適宜素材にて筒型の開口穴があり筒の内面と外面には滑り止め（８）（９）があり、土台（２）には細長い溝穴をネジ（３）・（４）が調整してコンパクトカメラ（７）と支持具（１）に取り付ける。
ゴム等の緩衝材（５）・（６）は土台（２）とコンパクトカメラ（７）との隙間に接地されコンパクトカメラカメラ（７）の三脚穴の位置を考慮して土台（２）の左右に適した位置に接着する。
支持具（１）の外側（１０）はカメラと接触する部分の形は、コンパクトカメラ（７）がズレたり回転しないような形状である。
また、支持具（１）の内面と外面には、容易に掌が滑らい形状の滑り止め（８）（９）がある。付属品の滑り止めを改めて支持具（１）に取り付けてもよい。【００１２】  図５・６の使用実施例について説明する。
図５は、コンパクトカメラ（７）に支持具（１）を装着して、右手で持ち筒の中に中指を挿入して撮影操作をした図である。
図６は、コンパクトカメラ（７）に支持具（１）を装着して、左手で持ち筒の中に中指を挿入している図である。【００１３】  一度筒の中に指に引っ掛けてしまえば、落下する事が殆ど無いので安心して素早く被写体へレンズを向けての撮影動作がスムーズに素早く出来る。
支持具（１）の中に指を挿入時は、特に保持しているという意識がなくても自然に落下する事が無い。
右手だけの片手操作撮影はもちろん、左手だけで可能である。カメラのシャターボタンや操作は右手用ですが、右手が不自由な方やそういう場面でも、一度自分の方にレンズを向けて左手の中指で支持具の穴に挿入して、少し９０度程手首をずらせば左手でも容易に撮影が出来る。
また、自分で自分を撮影する事も左手で自分にカメラレンズを向けて撮影するのも容易に出来る。
ボタン操作や被写体を縦横にカメラを傾けて撮影する事が多いので、いろんな状態状況でも安定して保持したり引っ掛けたり添えたりの動作ができる。また撮影動作意外に、支持具（１）に手を添えてカメラボタン設定などするとコンパクトカメラ（７）の使い勝手が良い支持具（１）である。【００１４】  本発明の一実施例は上述の如き構成からなるものであるから、支持具（１）の形は円形に限らず、三角形・四角形・三日月型・楕円体など筒型の形状に指を挿入して、その廻りを握るカメラ操作用支持具（１）である。
また、カメラ操作用支持具（１）の素材は単一でなく複数の異なる素材で構成されていてもよい。
【符号の説明】
【００１５】  １  支持具
２  土台
３  ネジ
４  ネジ
５  ゴム等の緩衝材
６  ゴム等の緩衝材
７  コンパクトカメラ
８  支持具の内側の滑り止め
９  支持具の外側の滑り止め
１０  支持具のコンパクトカメラと接触する面の形状
【図１】
2014106525.tif 000003
【図２】
2014106525.tif 000004
【図３】
2014106525.tif 000005
【図４】
2014106525.tif 000006
【図５】
2014106525.tif 000007
【図６】
2014106525.tif 000008
【図７】
2014106525.tif 000009